(57)【要約】      （修正有）【課題】公園用ブランコチェアを提供する。【解決手段】チェア面１を含み、チェア面の両側にサスペンションブロック２を設置し、サスペンションブロックはサスペンション穴２０１を持ち、チェア面の上部に溝を設置し、溝内にクッション３を設置し、クッションの上部に尻の位置決め溝３１１を設置し、クッションの頂上に何個かの滑り止めの凸部３１２を設置し、何個かの滑り止めの凸部は均一的にクッションの表面で分布し、チェア面の上部に４本の凸柱４があり、凸柱の円周面に通し穴を設置し、通し穴の内にＬ形の防護手すり５があり、凸柱の上部に防護手すりを固定するネジ４０１を設置し、防護手すりが凸柱を離れる所にソフト保護パッド６を設け、チェア面上部の左右両側にスロット１１を設置し、スロット内に防護骨組みを設置し、防護骨組みの底部にスロットを組み合わせるブロックを設置し、防護骨組みの上部はお尻位置決め溝に近い所にスポンジパッドを設置します。【選択図】図１
0003206188.tif 000002
【実用新案登録請求の範囲】
【請求項１】
公園用ブランコチェアにおいて、
チェア面を含み、前記のチェア面の両側にサスペンションブロックを設置し、前記のサスペンションブロックはサスペンション穴を持ち、前記のチェア面の上部に溝を設置し、前記の溝内にクッションを設置し、前記のクッションの上部に尻の位置決め溝を設置し、前記のクッション上に複数の滑り止めの凸部を設置し、前記の複数の滑り止めの凸部は均一的に前記のクッションの表面で分布し、前記のチェア面の上部に4本の凸柱があり、前記の凸柱の円周面に通し穴を設置し、前記の通し穴内にL形の防護手すりがあり、前記の凸柱の上部に前記の防護手すりを固定するネジを設置し、前記の防護手すりにソフト保護パッドを設け、前記のチェア面上部の左右両側にスロットを設置し、前記のスロット内に防護骨組みを設置し、前記の防護骨組みの底部に前記のスロットを組み合わせるブロックを設置し、前記の防護骨組みの上部にスポンジパッドを設置し、前記のチェア面の下に物を置くかごを設置し、前記の物を置くかごは二本のブラケットを通じて前記のチェア面と固定して連結し、前記の物を置くかごの外部に保護部分を設置する
ことを特徴とする公園用ブランコチェア。
【考案の詳細な説明】
【技術分野】
【０００１】
本発明は一種の公園用ブランコチェアに関する
【背景技術】
【０００２】
ブランコは児童のおもちゃの一種で、既存技術のブランコは採用したチェアはひとつの簡単なプラスチック板で、その支える能力は有限で、折れやすく、同時にチェアのバックにはリミッターをもっていなく、でも児童のコントロール能力は有限で、後方に転倒しやすく、そのためわりに大きい隠れた危険が存在します。
【考案の概要】
【考案が解決しようとする課題】
【０００３】
本発明は解決する技術問題が一種の公園用ブランコチェアを提供し、本請求はL形の保護手すりでチェア面の前、後側の所のリミットを完成し、防護骨組みでチェアの左、右側のリミットを実現し、使用の安全性を保障し、そして防護骨組みとチェア面はスロットとイラストブロックの配合方式を採用し、防護骨組みの解体やインストールに便利で、何個の滑り止めの凸部を設置することを通じ、滑り止めと保護の効果を果たし、児童が遊ぶ過程でソフトパッドを滑ることを避け、同時に子供が遊ぶ過程で、大人は護手すりを握ることを通じブランコチェアを動かし、操作は簡単でまたは便利で、チェア面の下に物を置くかごには身の回りに持っている物を置くことができ、人々は便利に使用することができます。
【課題を解決するための手段】
【０００４】
上述の問題を解決するために、本発明は次の技術方策を採用する
【０００５】
一種の公園用ブランコチェアで、チェア面を含み、前記のチェア面の両側にサスペンションブロックを設置し、前記のサスペンションブロックはサスペンション穴を持ち、前記のチェア面の上部に溝を設置し、前記の溝内にクッションを設置し、前記のクッションの上部に尻の位置決め溝を設置し、前記のクッションに頂上に何個の滑り止めの凸部を設置し、前記の何個の滑り止めの凸部は均一的に前記のクッションの表面で分布し、前記のチェア面の上部に4本の凸柱があり、前記の凸柱の円周面に通し穴を設置し、前記の通し穴の内にL形の防護手すりがあり、前記の凸柱の上部に前記の防護手すりを固定するネジを設置し、前記の防護手すりが前記の凸柱を離れる所にソフト保護パッドを設け、前記のチェア面上部の左右両側にスロットを設置し、前記のスロット内に防護骨組みを設置し、前記の防護骨組みの底部に前記のスロットを組み合わせるブロックを設置し、前記の防護骨組みの上部はお尻位置決め溝に近い所にスポンジパッドを設置し、前記のチェア面の下に物を置くかごを設置し、前記の物を置くかごは二本のブラケットを通じ前記のチェア面と固定に連結し、前記の物を置くかごの外部に保護部分を設置します。
【０００６】
最適に、前記のチェア面の外部の四つの頂角位置は円弧で引渡し、前記のチェア面の厚度は8mm−12mmです。
【０００７】
最適に、前記のサスペンションブロックと前記のチェア面は一体式の構造で、前記のサスペンションブロックは前記のチェア面を離れる所の二つの頂角位置が円弧で引き渡します。
【考案の効果】
【０００８】
本発明は、本請求はL形の保護手すりでチェア面の前、後側の所のリミットを完成し、防護骨組みでチェアの左、右側のリミットを実現し、使用の安全性を保障し、そして防護骨組みとチェア面はスロットとイラストブロックの配合方式を採用し、防護骨組みの解体やインストールに便利で、何個の滑り止めの凸部を設置することを通じ、滑り止めと保護の効果を果たし、児童が遊ぶ過程でソフトパッドを滑ることを避け、同時に子供が遊ぶ過程で、大人は護手すりを握ることを通じブランコチェアを動かし、操作は簡単でまたは便利で、チェア面の下に物を置くかごには身の回りに持っている物を置くことができ、人々は便利に使用することができます。本請求の構造が簡単で、コストが安く、普及使用に適合する効果を持っています。
【図面の簡単な説明】
【０００９】
【図１】本発明の構造図
【図２】本発明の物を置く籠の構造図
【図３】本発明の防護骨組みの構造図
【考案を実施するための形態】
【００１０】
以下では、付図を結合し本発明の最適な実施例を詳しく述べ、本分野の技術者に更に容易に本発明の長所と特徴を理解させることができ、これによって本発明の保護範囲に対して、もっとはっきりとした明確な限定を作ることができます。
【００１１】
図１、図2と図3に示した一種の公園用ブランコチェアを参照し、チェア面1を含み、前記のチェア面1の両側にサスペンションブロック2を設置し、前記のサスペンションブロック2はサスペンション穴201を持ち、前記のチェア面1の上部に溝（構造図はありません）を設置し、前記の溝内にクッション3を設置し、前記のクッション3の上部に尻の位置決め溝311を設置し、前記のクッション3に頂上に何個の滑り止めの凸部312を設置し、前記の何個の滑り止めの凸部312は均一的に前記のクッション3の表面で分布し、前記のチェア面1の上部に4本の凸柱4があり、前記の凸柱4の円周面に通し穴（構造図はありません）を設置し、前記の通し穴の内にL形の防護手すり5があり、前記の凸柱4の上部に前記の防護手すり5を固定するネジ401を設置し、前記の防護手すり5が前記の凸柱4を離れる所にソフト保護パッド6を設け、前記のチェア面1上部の左右両側にスロット11を設置し、前記のスロット11内に防護骨組み12を設置し、前記の防護骨組み12の底部に前記のスロット11を組み合わせるブロック13を設置し、前記の防護骨組み12の上部はお尻位置決め溝311に近い所にスポンジパッド14を設置し、前記のチェア面1の下に物を置くかご102を設置し、前記の物を置くかご102は二本のブラケット103を通じ前記のチェア面1と固定に連結し、前記の物を置くかご102の外部に保護部分101を設置します。
【００１２】
本発明で１つの比較的に良い実施例で、前記のチェア面1の外部の四つの頂角位置は円弧で引渡し、前記のチェア面1の厚度は10mmです。
【００１３】
本発明で１つの比較的に良い実施例で、前記のサスペンションブロック2と前記のチェア面1は一体式の構造で、前記のサスペンションブロック2は前記のチェア面1を離れる所の二つの頂角位置が円弧で引き渡します。
【００１４】
本発明は、本請求はL形の保護手すりでチェア面の前、後側の所のリミットを完成し、防護骨組みでチェアの左、右側のリミットを実現し、使用の安全性を保障し、そして防護骨組みとチェア面はスロットとイラストブロックの配合方式を採用し、防護骨組みの解体やインストールに便利で、何個の滑り止めの凸部を設置することを通じ、滑り止めと保護の効果を果たし、児童が遊ぶ過程でソフトパッドを滑ることを避け、同時に子供が遊ぶ過程で、大人は護手すりを握ることを通じブランコチェアを動かし、操作は簡単でまたは便利で、チェア面の下に物を置くかごには身の回りに持っている物を置くことができ、人々は便利に使用することができます。本請求の構造が簡単で、コストが安く、普及使用に適合する効果を持っています。
【００１５】
以上は、本発明の基本原理、主要特徴と長所を示し述べます。本業界の技術者は理解すべき、本発明は上記の実施例の制限を受けなく、上記の実施例と説明書で述べたのは、ただ本発明の原理を説明し、本発明の精神と範囲を離れない前提で、本発明はまた各種の変化と改善があり、これらの変化と改善は請求した保護される本発明の範囲に属します。本発明は請求した保護範囲が寄附する権利請求書とその等しい物から決められます。
【図１】
0003206188.tif 000003
【図２】
0003206188.tif 000004
【図３】
0003206188.tif 000005